(57)【特許請求の範囲】
【請求項１】
再生用媒体に記録された楽曲データの属性を表す属性情報を、ネットワークを介して接続された要求元機器からの要求に応じて提供する情報提供サーバであって、
属性情報のデータ形式に対する優先度を規定する優先度テーブルを予め記憶する記憶手段と、
前記要求元機器から送られる再生用媒体を識別する識別情報を受信する識別情報受信手段と、
前記識別情報受信手段が受信した識別情報に従って、予め複数の属性情報が格納されている複数のデータベースに順次アクセスし、対象となる属性情報をそれぞれ取得する属性情報取得手段と、
前記記憶手段に記憶される優先度テーブルに従って、前記属性情報取得手段により取得された複数の属性情報から最も優先度の高いデータ形式となる１つの属性情報を選択する選択手段と、
前記選択手段により選択された属性情報を前記要求元機器に返信する属性情報返信手段と、
を備えることを特徴とする情報提供サーバ。
【請求項２】
前記要求元機器を特定するための特定情報を取得する特定情報取得手段と、
前記識別情報受信手段が受信した識別情報を、前記特定情報取得手段が取得した特定情報と関連付けて記憶する識別情報記憶手段と、を更に備える、
ことを特徴とする請求項１に記載の情報提供サーバ。
【請求項３】
前記識別情報記憶手段は、前記属性情報取得手段がデータベースにアクセスする際に使用したアクセス元を示す固定情報を、前記特定情報取得手段が取得した特定情報と関連付けて記憶する、
ことを特徴とする請求項２に記載の情報提供サーバ。
【請求項４】
再生用媒体に記録された楽曲データの属性を表す属性情報を、ネットワークを介して接続された要求元機器からの要求に応じて提供する情報提供サーバであって、
前記要求元機器から送られる、再生用媒体を識別する識別情報、及び、表示又は記録が可能となるデータ形式を規定する形式情報を受信する情報受信手段と、
前記情報受信手段が受信した識別情報に従って、予め複数の属性情報が格納されている複数のデータベースに順次アクセスし、対象となる属性情報をそれぞれ取得する属性情報取得手段と、
前記情報受信手段が受信した形式情報に従って、前記属性情報取得手段により取得された複数の属性情報から同じデータ形式となる１つの属性情報を選択する選択手段と、
前記選択手段により選択された属性情報を前記要求元機器に返信する属性情報返信手段と、
を備えることを特徴とする情報提供サーバ。
【請求項５】
前記要求元機器を特定するための特定情報を取得する特定情報取得手段と、
前記情報受信手段が受信した識別情報及び形式情報を、前記特定情報取得手段が取得した特定情報と関連付けて記憶する情報記憶手段と、を更に備える、
ことを特徴とする請求項４に記載の情報提供サーバ。
【請求項６】
前記属性情報取得手段が取得した属性情報を、前記要求元機器にて受信可能な所定のデータ形式に変換する変換手段を更に備える、
ことを特徴とする請求項１又は４に記載の情報提供サーバ。
【発明の詳細な説明】
【０００１】
【発明の属する技術分野】
本発明は、情報提供サーバに関する。
【０００２】
【従来の技術】
ＣＤ（Compact Disc／コンパクトディスク）等を再生して得られる楽曲データ（音声信号）を、ＭＤ（Mini Disc／ミニディスク）等に録音することのできる録音再生装置が知られている。
また、ＭＤには、ディスクタイトル及び楽曲データ毎のトラックタイトル等からなるタイトル情報を記録するための領域として、Ｕ−ＴＯＣ（User's Table Of Contents）が設けられている。
そして、録音再生装置は、楽曲データをＭＤに録音した後に、利用者から入力されるディスクタイトル及びトラックタイトル等（タイトル情報）を、ＭＤの有するＵ−ＴＯＣに登録することができるようになっている。
【０００３】
一方、インターネット経由でアクセスしてくるユーザに対し、市販の音楽ＣＤに関する情報を提供するサービスが一般化しつつある。こうしたサービスを提供するディスク情報データベースは、市販されている各種の音楽ＣＤに関する詳細な情報（テキスト情報等の属性情報）を、予めデータベースのシステムに蓄積しておき、要求に応じて、属性情報を提供する。
このためユーザは、音楽関連サイトを介してディスク情報データベースを利用することにより、音楽ＣＤのアルバムタイトル、曲タイトル、アーティスト等に関する情報（テキスト情報等の属性情報）を容易に入手できる。
【０００４】
【発明が解決しようとする課題】
上述したような、ディスク情報データベースを利用する場合に、要求元機器は、音楽ＣＤを識別するためのＴＯＣ情報を、音楽関連サイト等に向けて送信する。この際、一般に要求元機器は、音楽ＣＤから得られた全てのＴＯＣ情報を送信することなく、音楽ＣＤを最低限に識別できる一部のＴＯＣ情報だけを送信する。
このため、ディスク情報データベースにおいて、複数の属性情報が検索されてしまう場合もある。この様な場合、要求元機器には、属性情報が複数検索された旨のメッセージ及び、各属性情報の一部（アルバムタイトル等）が音楽関連サイト等から送られ、表示部に表示されると共に、何れか一つの属性情報の選択が要求される。そして、属性情報がユーザに選択されるまで、要求元機器は、インターネットに通信接続したままであり、余分な通信料金が生じてしまうこととなる。
【０００５】
つまり、要求元機器が属性情報を取得し終わるまで、ユーザは、その場に居合わせて要求元機器を注視し、複数の属性情報が検索されてしまった場合には、すぐさま、何れかの属性情報の選択を要求元機器に指示しなければならなかった。
特に、複数の音楽ＣＤに対する属性情報を取得する場合では、要求元機器が全ての属性情報を取得し終える長時間に渡って、ユーザが要求元機器を注視する必要があった。
【０００６】
本発明は、上記実状に鑑みてなされたもので、再生用媒体に記録されている楽曲の属性情報を適切に提供できるようにすることを目的とする。
【０００７】
【課題を解決するための手段】
上記目的を達成するため、本発明の第１の観点に係る情報提供サーバは、
再生用媒体に記録された楽曲データの属性を表す属性情報を、ネットワークを介して接続された要求元機器からの要求に応じて提供する情報提供サーバであって、
属性情報のデータ形式に対する優先度を規定する優先度テーブルを予め記憶する記憶手段と、
前記要求元機器から送られる再生用媒体を識別する識別情報を受信する識別情報受信手段と、
前記識別情報受信手段が受信した識別情報に従って、予め複数の属性情報が格納されている複数のデータベースに順次アクセスし、対象となる属性情報をそれぞれ取得する属性情報取得手段と、
前記記憶手段に記憶される優先度テーブルに従って、前記属性情報取得手段により取得された複数の属性情報から最も優先度の高いデータ形式となる１つの属性情報を選択する選択手段と、
前記選択手段により選択された属性情報を前記要求元機器に返信する属性情報返信手段と、
を備えることを特徴とする。
【０００８】
上記情報提供サーバは、前記要求元機器を特定するための特定情報を取得する特定情報取得手段と、
前記識別情報受信手段が受信した識別情報を、前記特定情報取得手段が取得した特定情報と関連付けて記憶する識別情報記憶手段と、を更に備えてもよい。
【０００９】
前記識別情報記憶手段は、前記属性情報取得手段がデータベースにアクセスする際に使用したアクセス元を示す固定情報を、前記特定情報取得手段が取得した特定情報と関連付けて記憶してもよい。
【００１０】
上記目的を達成するため、本発明の第２の観点に係る情報提供サーバは、
再生用媒体に記録された楽曲データの属性を表す属性情報を、ネットワークを介して接続された要求元機器からの要求に応じて提供する情報提供サーバであって、
前記要求元機器から送られる、再生用媒体を識別する識別情報、及び、表示又は記録が可能となるデータ形式を規定する形式情報を受信する情報受信手段と、
前記情報受信手段が受信した識別情報に従って、予め複数の属性情報が格納されている複数のデータベースに順次アクセスし、対象となる属性情報をそれぞれ取得する属性情報取得手段と、
前記情報受信手段が受信した形式情報に従って、前記属性情報取得手段により取得された複数の属性情報から同じデータ形式となる１つの属性情報を選択する選択手段と、
前記選択手段により選択された属性情報を前記要求元機器に返信する属性情報返信手段と、
を備えることを特徴とする。
【００１１】
上記情報提供サーバは、前記要求元機器を特定するための特定情報を取得する特定情報取得手段と、
前記情報受信手段が受信した識別情報及び形式情報を、前記特定情報取得手段が取得した特定情報と関連付けて記憶する情報記憶手段と、を更に備えてもよい。
【００１２】
上記情報提供サーバは、前記属性情報取得手段が取得した属性情報を、前記要求元機器にて受信可能な所定のデータ形式に変換する変換手段を更に備えてもよい。
【００１３】
【発明の実施の形態】
本発明の実施の形態にかかるタイトル情報転送システムについて、以下図面を参照して説明する。
【００１４】
(第１の実施の形態)
図１は、このタイトル情報転送システムの全体構成を示すブロック図である。図１に示すように、タイトル情報転送システムは、録音再生装置１００と、携帯電話装置２００と、通信交換装置４００と、タイトル情報提供サーバ５００と、タイトル情報データベース６００（ＤＢ）とを備えている。そして、携帯電話装置２００と通信交換装置４００とが、無線公衆通信ネットワークＷＮＥＴを介して接続されている。さらに、通信交換装置４００とタイトル情報提供サーバ５００とタイトル情報ＤＢ６００とが、インターネットＩＮＥＴを介して接続されている。また、録音再生装置１００と携帯電話装置２００は、信号ケーブルＣＡを介して接続されている。
【００１５】
録音再生装置１００は、ＣＤ（コンパクトディスク）を再生し、得られた楽曲データをＭＤ（ミニディスク）に録音する機器であって、図２に示すように、処理制御部１１０と、信号処理部１２０と、インタフェース１３０と、キー入力部１４０と、表示部１５０と、メモリ１６０と、再生・記録部１７０と、ＤＡＣ（デジタル／アナログコンバータ）１８０とから構成される。
【００１６】
処理制御部１１０は、ＣＰＵ（Central Processing Unit）及び周辺ＬＳＩ（Large Scale Integration）を含んだ１チップマイコン等から構成され、録音再生装置１００全体を制御する。
【００１７】
具体的に説明すると、処理制御部１１０は、信号処理部１２０を制御して再生用媒体、例えば再生対象である再生用ＣＤを再生し、得られた楽曲データを、再生・記録部１７０等を介して記録用媒体、例えば記録対象である記録用ＭＤに録音する。
【００１８】
また、処理制御部１１０は、信号処理部１２０を制御して、再生対象のＣＤ中のＴＯＣ（Table Of Contents）からＴＯＣ情報を読み出し、このＴＯＣ情報をインタフェース１３０等を介して携帯電話装置２００へ送る。
このＴＯＣ情報は、トータルトラック数及びトータル演奏時間（分：秒：フレーム）等からなる情報であり、タイトル情報ＤＢ６００にて再生用ＣＤを識別し、この再生用ＣＤのディスクタイトル及び再生用ＣＤ中の各トラックに記録された楽曲のタイトル、アーティスト、作曲者、楽譜、歌詞等についてのタイトル情報を得るための識別情報として使用される。
【００１９】
また、処理制御部１１０は、携帯電話装置２００から送られるタイトル情報をインタフェース１３０を介して受信し、信号処理部１２０及び再生・記録部１７０を介して、受信したタイトル情報を記録用ＭＤに記録する。
【００２０】
信号処理部１２０は、処理制御部１１０による制御に従って再生用ＣＤを再生して楽曲データを読み出し、記録用ＭＤに楽曲データを記録する。
【００２１】
インタフェース１３０は、信号ケーブルＣＡが着脱可能に接続されるコネクタを備え、通信ケーブルＣＡを介して携帯電話装置２００との間でデータを送受信する。
【００２２】
キー入力部１４０は、ボタンスイッチやロータリスイッチ等からなり、利用者の操作に従った指示情報等を入力し、入力した情報を処理制御部１１０に供給する。例えば、キー入力部１４０は、利用者により特定のキーが押下された際に、ＣＤからＭＤへの楽曲データの録音（再生録音）を指示する情報を処理制御部１１０に供給する。
【００２３】
表示部１５０は、ＬＣＤ（Liquid Crystal Display）パネル等からなり、処理制御部１１０に制御され、文字列等を表示する。例えば、表示部１５０は、録音中の楽曲データのトラック番号や、録音が完了するまでの残時間等を表示する。
【００２４】
メモリ１６０は、ＲＡＭ（Random Access Memory）等からなり、処理制御部１１０のワークエリア等として使用され、様々な情報を記憶する。
【００２５】
再生・記録部１７０は、光学ヘッド・磁気ヘッド等を備え、この録音再生装置１００に装填されたＣＤに記録されているデータを読み取り、また、ＭＤに任意のデータを書き込み、また、ＭＤに記録されたデータを読み出す。
【００２６】
ＤＡＣ（デジタル／アナログコンバータ）１８０は、信号処理部１２０から供給されたデジタルの楽曲データをアナログの楽曲信号に変換し、変換した楽曲信号をアンプ及びスピーカ等を介して音声（楽曲音）として出力する。
【００２７】
図１に示す携帯電話装置２００は、いわゆる携帯電話機、ＰＨＳ（Personal Handy-phone System）等から構成され、図３に示すように、通信処理部２１０と、電源部２２０と、インタフェース２３０と、処理制御部２４０と、表示部２５０と、音声入力部２６０と、音声出力部２７０と、メモリ２８０とを備えている。
【００２８】
通信処理部２１０は、ＲＦ（Radio Frequency）信号処理回路（高周波回路）等から構成され、例えば移動体通信ネットワークを構成する基地局との間で無線信号を送受信することにより、通話や電子メールの送受信等を可能とする。
通信処理部２１０は、電源部２２０から供給される電力により動作する。
【００２９】
電源部２２０は、例えばリチウムイオン二次電池等から構成される電池２２１を含み、この携帯電話装置２００の各部位に供給する電力を生成する。
【００３０】
インタフェース２３０は、信号ケーブルＣＡが着脱可能に接続されるコネクタを備え、信号ケーブルＣＡを介して接続されている録音再生装置１００との間でデータを送受信する。
【００３１】
処理制御部２４０は、例えばＭＰＵ（Micro Processing Unit）やＤＳＰ（Digital Signal Processor）等から構成され、この携帯電話装置２００全体の動作を制御するためのものであり、電源制御部２４１と、データ処理部２４３と、音声処理部２４５とを備えている。
【００３２】
電源制御部２４１は、電源部２２０から供給された電源の各部位への配送状態を制御するためのものである。電源制御部２４１は、メモリ２８０に記憶されている電源供給フラグ情報に応じて、各部位への電源の配送状態を切り替える。例えば、電源供給フラグ情報が「送受信抑止」を示す内容であった場合、電源制御部２４１は、通信処理部２１０を除くこの携帯電話装置２００の各部位に電源部２２０から供給された電力を配送する。一方、電源制御部２４１は、電源供給フラグ情報が「送受信ＯＫ」を示す内容であった場合、通信処理部２１０を含めたこの携帯電話装置２００の各部位に電力を配送する。
【００３３】
データ処理部２４３は、電子メールの作成や送受信、電話帳データの編集といったデータ処理等を実行する。
【００３４】
音声処理部２４５は、例えばＣＯＤＥＣ（COder/DECoder）を備えた音声信号処理回路であり、音声入力部２６０から送られた音声信号を符号化して通信処理部２１０に送る。また、音声処理部２４５は、通信処理部２１０から送られた信号から音声信号を復元して音声出力部２７０に供給する。
【００３５】
表示部２５０は、ＬＣＤ（Liquid Crystal Display）等から構成され、処理制御部２４０が各種の処理内容や処理結果に応じた画像を表示する。また、後述するように、表示部２５０は、メモリ２８０に記憶された画像情報を表示する。
【００３６】
音声入力部２６０は、マイクロフォン等から構成され、外部から音声を取り込んで音声信号を生成し、生成した音声信号を音声処理部２４５に送る。
【００３７】
音声出力部２７０は、スピーカ等から構成され、音声処理部２４５から受けた音声信号に応じた音声を出力する。
【００３８】
メモリ２８０は、上述した電源供給フラグ情報や後述するジャケット絵図等を、処理制御部２４０の制御に従って記憶する。
【００３９】
図１に示す通信交換装置４００は、無線公衆通信ネットワークＷＮＥＴとインターネットＩＮＥＴとの間で、通信交換を実行するゲートウエイである。
具体的に、通信交換装置４００は、携帯電話装置２００から送信先の情報を含むメッセージ等が送信された場合、このメッセージ等を電子メールの形式に変換し、指定された送信先へインターネットＩＮＥＴを介して送信する。また、インターネットＩＮＥＴを介して携帯電話装置２００宛ての電子メールを受信した場合、この電子メールの内容を、携帯電話装置２００との間の通信方式に応じた形式に変換し、無線公衆通信ネットワークＷＮＥＴを介して携帯電話装置２００へ送信する。
【００４０】
タイトル情報提供サーバ５００は、インターネットＩＮＥＴに接続されたサーバである。
タイトル情報提供サーバ５００は、通信交換装置４００から電子メールにより送信されるＴＯＣ情報を、ＨＴＴＰ（ HyperText Transfer Protocol）によってタイトル情報ＤＢ６００へ送信する。
また、タイトル情報提供サーバ５００は、タイトル情報ＤＢ６００からＨＴＴＰによって返信されるタイトル情報を、このタイトル情報を要求したユーザ宛てに電子メールにより送信する。
【００４１】
タイトル情報提供サーバ５００は、図４に示すように、通信処理部５１０と、処理制御部５３０と、メモリ５５０とを備えている。
【００４２】
通信処理部５１０は、ルータ（router）等からなり、処理制御部５３０に制御され、インターネットＩＮＥＴを介して通信交換装置４００及びタイトル情報ＤＢ６００に通信接続し、接続先との間でデータを送受信する。
【００４３】
処理制御部５３０は、録音再生装置１００から送信されたＴＯＣ情報を受信し、このＴＯＣ情報をタイトル情報ＤＢ６００に送信して、このタイトル情報に応じて送信されるタイトル情報を受信し、これを録音再生装置１００に送信するための制御全般を行うためのものである。処理制御部５３０は、電子メール受信処理部５３１と、ユーザ認証部５３４と、ユーザ課金部５３７と、問合せコード送信処理部５４０と、応答コード受信処理部５４３と、応答メール送信処理部５４６とを備える。
【００４４】
電子メール受信処理部５３１は、通信交換装置４００を介して送信されてくる電子メールを受信し、タイトル情報を問い合わせる問合せ電子メールであれば、その電子メール中に含まれるＴＯＣ情報と発信元情報を取得する。そして、電子メール受信処理部５３１は、取得したＴＯＣ情報を問合せコード送信処理部５４０に渡す。また、電子メール受信処理部５３１は、取得した発信元情報を、ＴＯＣ情報とともにユーザ認証部５３４に渡す。
ユーザ認証部５３４は、電子メール受信処理部５３１から渡された新たな発信元情報に基づき、電子メールを発信したユーザを認証する。そして、ユーザ認証部５３４は、発信元が正規のユーザと認証された場合、渡された発信元情報を、ＴＯＣ情報とともに後述の発信元情報テーブル５５１に記憶させる。
ユーザ課金部５３７は、ユーザ認証部５３４により認証された正規のユーザについて、タイトル情報の問合せに伴って発生する課金額を算定する。
【００４５】
問合せコード送信処理部５４０は、電子メール受信処理部５３１から渡されたＴＯＣ情報に基づいて問合せコードを生成する。そして、問合せコード送信処理部５４０は、生成した問合せコードを、タイトル情報ＤＢ６００へＨＴＴＰにより送信する。
応答コード受信処理部５４３は、上述した問合せコード送信処理部５４０から送信された問合せコードに応じて、ＨＴＴＰでタイトル情報ＤＢ６００から送信される応答コードを受信する。そして、応答コード受信処理部５４３は、受信した応答コードを後述のタイトル情報テーブル５６６に記録する。
応答メール送信処理部５４６は、タイトル情報テーブル５６６に記録された応答コードと発信元情報テーブル５５１に基づいて応答の電子メールを生成する。そして、応答メール送信処理部５４６は、生成した応答の電子メールを発信元のユーザ宛に送信する。
【００４６】
メモリ５５０は、処理制御部５３０による参照及び更新の対象となるテーブルとして、発信元情報テーブル５５１と、ユーザ認証情報テーブル５５４と、タイトル情報テーブル５６６と、課金算定基準テーブル５５７と、課金額記録テーブル５６０と、ジャケット絵図テーブル５６９とを記憶する。
【００４７】
発信元情報テーブル５５１は、上述した電子メール受信処理部５３１によって取得され、ユーザ認証部５３４によって正規のユーザであると認証された発信元について、発信元情報と問合せ対象である再生用ＣＤのＴＯＣ情報とを、問合せへの応答が完了するまで格納しておくテーブルである。
ユーザ認証情報テーブル５５４は、ユーザの認証に必要な情報を予め格納しておくテーブルであり、ユーザ認証部５３４によって参照される。
タイトル情報テーブル５６６は、録音再生装置１００から送信されたＴＯＣ情報と、このＴＯＣ情報に応じてタイトル情報ＤＢ６００から返信されてきたタイトル情報とを、対応付けて記憶する一種のキャッシュである。タイトル情報テーブル５６６は、ＴＯＣ情報の発信元である録音再生装置１００すべてへタイトル情報の返信が完了するまで、ＴＯＣ情報及びタイトル情報を記憶する。このタイトル情報テーブル５６６は、応答メール送信処理部５４６によって参照される。
【００４８】
課金算定基準テーブル５５７は、ユーザに対する課金額の算定に必要な情報を格納しておくテーブルである。具体的に、課金算定基準テーブル５５７は、タイトル情報ＤＢ６００からのタイトル情報と、このタイトル情報の取得についての課金額とを予め対応づけて記憶する。また、課金算定基準テーブル５５７は、予め記憶されていないタイトル情報が送信されてきた場合の標準的な課金額も予め記憶する。この課金算定基準テーブル５５７は、ユーザ課金部５３７によって参照される。
課金額記録テーブル５６０は、課金算定基準テーブル５５７により算定されたユーザに対する課金額を、一定期間毎に累加して格納するテーブルである。
【００４９】
ジャケット絵図テーブル５６９は、タイトル情報を問い合わせる問合せ電子メールの送信が予想される代表的な再生用ＣＤについて、その再生用ＣＤのＴＯＣ情報と店頭販売中の再生用ＣＤの外観を表す画像であるジャケット絵図とを、予め対応づけて記憶させたテーブルである。このジャケット絵図テーブル５６９は、応答メール送信処理部５４６によって参照される。
【００５０】
図１に示すタイトル情報ＤＢ６００は、ＨＴＴＰによって受信したＴＯＣ情報を検索キーとして、タイトル情報が集積された源泉情報データベースを検索し、検索キーに該当するタイトル情報を取得する。そして、ＴＯＣ情報を発信したコンピュータに割り当てられたＩＰアドレス（Internet Protocol Address）宛てに、取得したタイトル情報を送信する。
【００５１】
次に、上記構成のタイトル情報転送システムの動作について、図５乃至図９を用いて説明する。
【００５２】
ユーザは、再生用ＣＤに記録されている楽曲データを記録用ＭＤに複写し、さらに、記録用ＭＤのＵ−ＴＯＣエリアにタイトル情報などを登録したい場合、この録音再生装置１００に再生用ＣＤと記録用ＭＤを装填すると共にキー入力部１４０上の所定の指示ボタンを操作する。
この操作に応答して、録音再生装置１００の処理制御部１１０は、図５（ａ）のフローチャートに示す処理を開始し、まず、信号処理部１２０を制御することによって装填されている再生用ＣＤにアクセスし、この再生用ＣＤからタイトル情報を取得するための識別情報となるＴＯＣ情報を取得する（ステップＳ１０１０）。そして処理制御部１１０は、取得したＴＯＣ情報を、インタフェース１３０を介して携帯電話装置２００へ送信する（ステップＳ１０２０）。
【００５３】
携帯電話装置２００は、図５（ｂ）のフローチャートに示す処理を実行しており、処理制御部２４０が、録音再生装置１００から送信されたＴＯＣ情報を、インタフェース２３０を介して受信する（ステップＳ１１１０）。また、処理制御部２４０は、メモリ２８０にアクセスして、自己の電話番号を取得する（ステップＳ１１２０）。処理制御部２４０は、上記ステップＳ１１１０及びＳ１１２０で取得したＴＯＣ情報及び自己の電話番号から、図６に示すような電子メールを生成し、通信処理部２１０を介してタイトル情報提供サーバ５００へ送信する（ステップＳ１１３０）。
【００５４】
通信交換装置４００は、図７（ａ）に示す処理により、上述したステップＳ１１３０で送信されたＴＯＣ情報を含む電子メールを無線公衆通信ネットワークＷＮＥＴを介して受信する（ステップＳ１２１０）。通信交換装置４００は、公衆回線系のプロトコルとＴＣＰ／ＩＰプロトコルとを交換して、受信した電子メールを、インターネットＩＮＥＴ経由でタイトル情報提供サーバ５００へ送信する（ステップＳ１２２０）。
【００５５】
タイトル情報提供サーバ５００は、図７（ｂ）のフローチャートに示す処理を行っており、処理制御部５３０内の電子メール受信処理部５３１が、通信処理部５１０を介して、インターネットＩＮＥＴ経由で送信されてくる電子メールを受信する（ステップＳ１３１０）。そして、電子メール受信処理部５３１は、受信した電子メールの内容を解析する。電子メール受信処理部５３１は、受信した電子メールが、タイトル情報の問い合わせ以外の内容であれば、その内容に応じた処理を行う。一方、電子メール受信処理部５３１は、受信した電子メールが上述したＴＯＣ情報を含み、タイトル情報の提供を要求する内容であれば、ユーザ認証部５３４に制御を渡す（ステップＳ１３２０）。
【００５６】
ユーザ認証部５３４は、図８のフローチャートに示すように、電子メール受信処理部５３１から制御を渡された電子メールに含まれる発信元の電話番号をキーに、メモリ５５０内のユーザ認証情報テーブル５５４を検索する（ステップＳ２１１０）。そして、発信元の電話番号に該当するユーザがユーザ認証情報テーブル５５４に登録されているか否かを判定する（ステップＳ２１２０）。この判定の結果、発信元電話番号に該当するユーザ登録があった場合には、タイトル情報の取得に関する以降の処理を続行する（ステップＳ２１３０）。一方、発信元電話番号に該当するユーザ登録がなかった場合には、この発信元電話番号に関わる以後の処理をキャンセルする（ステップＳ２１４０）。
【００５７】
ユーザ認証部５３４による処理により、タイトル情報の取得に関する以降の処理が続行となった場合、電子メール受信処理部５３１は、このタイトル情報提供サーバ５００が有するＩＰアドレスのうちの現在未使用のものを１つ選択して、受信した電子メールに含まれていたＴＯＣ情報及び発信元の電話番号と共に、メモリ５５０内の発信元情報テーブル５５１に記憶する（図７（ｂ）：ステップＳ１３３０）。問合せコード送信処理部５４０は、発信元情報テーブル５５１に記憶されたＴＯＣ情報を読み出して、このＴＯＣ情報に相当する問合せコードを生成し、この問合せコードを、選択したＩＰアドレスが割り当てられているポートからタイトル情報ＤＢ６００へ、ＨＴＴＰによりインターネットＩＮＥＴ経由で送信する（ステップＳ１３４０）。
【００５８】
タイトル情報ＤＢ６００は、図７（ｃ）のフローチャートに示すように、インターネットＩＮＥＴを介して送信されてきた問合せコードを受信する（ステップＳ１４１０）。タイトル情報ＤＢ６００は、受信した問合せコードに含まれるＴＯＣ情報をキーにタイトル情報が格納されたデータベースを検索し、ＴＯＣ情報に対応するタイトル情報を取得する（ステップＳ１４２０）。そして、取得したタイトル情報を含む応答コードを、ＨＴＴＰにより、インターネットＩＮＥＴ経由で、要求元のＩＰアドレス宛に送信する（ステップＳ１４３０）。
【００５９】
タイトル情報提供サーバ５００は、図７（ｂ）に示すように、応答コード受信処理部５４３が通信処理部５１０を介して、タイトル情報ＤＢ６００から、応答コードの形式で送信されてくるタイトル情報を受信し、メモリ５５０内のタイトル情報テーブル５６６に一時記憶させる（ステップＳ１３５０）。そして、応答コード受信処理部５４３は、タイトル情報を受信したポートに割り当てられているＩＰアドレスをキーに、メモリ５５０内の発信元情報テーブル５５１から発信元の電話番号を検索する（ステップＳ１３６０）。応答コード受信処理部５４３は、ユーザ課金部５３７に、検索された発信元の電話番号を通知する（ステップＳ１３７０）。
【００６０】
ユーザ課金部５３７は、図９のフローチャートに示すように、発信元の電話番号をキーとして、メモリ５５０内の課金額記録テーブル５６０を検索し（ステップＳ２２１０）、発信元の電話番号すなわち携帯電話装置２００により特定されるユーザ（タイトル情報を要求したユーザ）の課金額を、課金額記録テーブル５６０から取得する（ステップＳ２２２０）。
【００６１】
次に、ユーザ課金部５３７は、タイトル情報をキーとして、メモリ５５０内の課金算定基準テーブル５５７を検索し（ステップＳ２２３０）、このタイトル情報に該当する課金額が課金算定基準テーブル５５７中にあったか否かに応じて処理を振り分ける（ステップＳ２２４０）。
【００６２】
タイトル情報に該当する課金額が課金算定基準テーブル５５７中にあった場合、ユーザ課金部５３７は、検索されたタイトル情報に該当する課金額を取得して（ステップＳ２２５０）、この課金額を、先にステップＳ２２２０で取得していた発信元ユーザの課金額に加算する（ステップＳ２２６０）。一方、タイトル情報に該当する課金額が課金算定基準テーブル５５７中になかった場合、ユーザ課金部５３７は、予め決められた標準的な課金額を課金算定基準テーブル５５７から取得し、発信元ユーザの課金額に加算する（ステップＳ２２７０）。
【００６３】
いずれの場合でも、ユーザ課金部５３７は、加算した後の発信元ユーザの課金額を課金額記録テーブル５６０に記録する（ステップＳ２２９０）。
【００６４】
ユーザ課金部５３７による処理の終了後又は並行して、応答メール送信処理部５４６は、タイトル情報テーブル５６６に一時記憶したタイトル情報を読み出すとともに、メモリ５５０内のジャケット絵図テーブル５６９を参照し、読み出したタイトル情報に対応するジャケット絵図を取得する（ステップＳ１３８０）。そして、応答メール送信処理部５４６は、発信元情報テーブル５５１の検索により特定されたユーザ宛に、タイトル情報及びジャケット絵図を内容とする電子メールを生成し、この電子メールを送信する（ステップＳ１３９０）。
【００６５】
通信交換装置４００は、タイトル情報提供サーバ５００からインターネットＩＮＥＴ経由で送信された電子メールを受信し（ステップＳ１２３０）、ＴＣＰ／ＩＰプロトコルと公衆回線系のプロトコルとを交換して、受信した電子メールを、無線公衆通信ネットワークＷＮＥＴを介して発信元の携帯電話装置２００へ送信する（ステップＳ１２４０）。
【００６６】
携帯電話装置２００では、図５（ｂ）のフローチャートに示すように、処理制御部２４０が、通信交換装置４００から送信された電子メールを、通信処理部２１０を介して受信する（ステップＳ１１５０）。そして処理制御部２４０は、受信した電子メールに含まれるタイトル情報を、インタフェース２３０及びケーブルＣＡを介して録音再生装置１００へ送信する（ステップＳ１１６０）。一方、処理制御部２４０は、受信した電子メールに含まれるジャケット絵図を、メモリ２８０内のジャケット絵図テーブルに記録するとともに、表示部２５０を制御して、ジャケット絵図に応じた画像を表示する（ステップＳ１１７０）。
【００６７】
録音再生装置１００では、図５（ａ）のフローチャートに示すように、処理制御部１１０が、インタフェース１３０を介して携帯電話装置２００から送信されるタイトル情報を受信する（ステップＳ１０３０）。そして、処理制御部１１０は、再生・記録部１７０及びＤＡＣ１８０を制御することにより、受信したタイトル情報を装填されている記録用ＭＤのＵ−ＴＯＣエリアに登録する（ステップＳ１０４０）。
【００６８】
上述した構成及び動作により、パーソナルコンピュータ等を使用しなくても、録音再生装置１００と携帯電話装置２００とを組み合わせることにより、簡単に、タイトル情報ＤＢ６００からタイトル情報を取得することができる。しかも、取得したタイトル情報を、装填された記録用ＭＤに楽曲データとともに自動的に記録できる。
【００６９】
また、タイトル情報の取得に際して、既存の携帯電話装置２００を活用できるとともに、無線の通信装置であることから、録音再生装置１００の設置場所に関する自由度を高められる。さらに、録音再生装置１００及びタイトル情報ＤＢ６００の通信方式が異なっても、携帯電話装置２００と通信交換装置４００とタイトル情報提供サーバ５００とによって通信方式が変換されるので、タイトル情報ＤＢ６００からタイトル情報を取得することができる。
【００７０】
また、タイトル情報とともにこのタイトル情報に対応する固有のジャケット絵図を取得し、このジャケット絵図を携帯電話装置２００の表示部２５０に表示することができる。さらに、再生用ＣＤ中の楽曲データに応じたタイトル情報の提供について、相応の対価を算定して記録することができる。
【００７１】
(第２の実施の形態)
第１の実施の形態のタイトル情報転送システムでは、記録用ＭＤへ記録する録音再生装置１００と、高周波無線によって通信する携帯電話装置２００とが、かなり間近に接続された状態で使用される。しかし、磁気による記録中に近距離から強い高周波無線が発信された場合、磁気による記録中に雑音・雑信号が混入してしまうことが予想される。以下、この点に配慮したタイトル情報転送システムの例について説明する。
【００７２】
まず最初に、録音再生装置１００に装填されている記録媒体への録音を優先するタイトル情報転送システムについて説明する。
【００７３】
この実施形態におけるタイトル情報転送システムは、録音再生装置１００と、携帯電話装置２００と、通信交換装置４００と、タイトル情報提供サーバ５００と、タイトル情報ＤＢ６００とを備えており、この他の構成も上述した第１の実施形態と同様である。
【００７４】
タイトル情報転送システムの各構成部分のうち、情報提供側の通信交換装置４００、タイトル情報提供サーバ５００、タイトル情報ＤＢ６００の動作は、第１の実施形態と同様である。
そこで、録音再生装置１００及び携帯電話装置２００の動作について、主に図１０を用いて説明する。
【００７５】
録音再生装置１００の処理制御部１１０は、記録用ＭＤへの録音に先立ち、インタフェース１３０を介して録音開始情報を携帯電話装置２００へ送信する（ステップＳ１５１０）。携帯電話装置２００の処理制御部２４０は、インタフェース２３０を介して録音再生装置１００から録音開始情報を受信し（ステップＳ１６１０）、受信の直後、外部との通信を抑止する（ステップＳ１６２０）。
具体的には、録音開始情報の受信に応じて、携帯電話装置２００の電源制御部２４１が電源部２２０から供給された電力の配送をすべて遮断することにより、自己の機能を全面的に抑止する。あるいは、録音開始情報の受信に応じて、携帯電話装置２００の電源制御部２４１がメモリ２８０中の電源供給フラグ情報を「送受信抑止」にセットし、通信処理部２１０への電力の配送を遮断することにより、通信を伴わない処理の実行を可能としつつ、通信を抑止する。
【００７６】
録音再生装置１００の処理制御部１１０は、上述した録音開始情報の送信後、ＣＤ等の再生用ＣＤから楽曲データを順次再生し、再生した楽曲データを記録用ＭＤに録音していく（ステップＳ１５２０）。この録音中、携帯電話装置２００は外部との通信を抑止しているため、記録用ＭＤに録音される楽曲データに、携帯電話装置２００の高周波無線による雑音が混入する可能性はない。
【００７７】
やがて、再生した楽曲データの記録用ＭＤへの録音が終了すると、録音再生装置１００の処理制御部１１０は、インタフェース１３０を介して録音終了情報を携帯電話装置２００へ送信する（ステップＳ１５３０）。携帯電話装置２００の処理制御部２４０は、インタフェース２３０を介して録音再生装置１００から録音終了情報を受信し（ステップＳ１６３０）、受信の直後、外部との通信抑止を解除する（ステップＳ１６４０）。
具体的には、録音終了情報の受信に応じて、携帯電話装置２００の電源制御部２４１が電源部２２０から供給された電力のすべての部分への配送を再開することにより、自己の機能を全面的に回復する。
【００７８】
ステップＳ１６４０の後、録音再生装置１００及び携帯電話装置２００は、先に図５に示した処理と同様の処理を進める。すなわち、録音再生装置１００は、装填されているＣＤなどの再生用ＣＤにアクセスし、この再生用ＣＤからＴＯＣ情報などの識別情報を取得する（ステップＳ１５４０）。そして録音再生装置１００は、取得したＴＯＣ情報を、携帯電話装置２００へ送信する（ステップＳ１５５０）。
【００７９】
携帯電話装置２００は、録音再生装置１００から送信されたＴＯＣ情報を受信する（ステップＳ１６５０）。また、携帯電話装置２００は、自己の電話番号を取得する（ステップＳ１６５５）。そして、携帯電話装置２００は、ＴＯＣ情報及び電話番号を、無線公衆通信ネットワークＷＮＥＴ経由でタイトル情報提供サーバ５００へ送信する（ステップＳ１６６０）。
【００８０】
やがて携帯電話装置２００は、タイトル情報提供サーバ５００からタイトル情報及びジャケット絵図を受信する（ステップＳ１６７０）。そして携帯電話装置２００は、このうちのタイトル情報を、録音再生装置１００へ送信する（ステップＳ１６８０）。一方、携帯電話装置２００は、ジャケット絵図を記録及び表示する（ステップＳ１６９０）。
【００８１】
録音再生装置１００は、携帯電話装置２００から送信されるタイトル情報を受信する（ステップＳ１５６０）。そして、録音再生装置１００は、受信したタイトル情報を装填されている記録用ＭＤに記録する（ステップＳ１５７０）。
【００８２】
上述した構成及び動作により、先に説明した第１の実施の形態の効果に加え、携帯電話装置２００の無線通信に伴って発生する磁気に起因する録音へのノイズ混入を未然に防止できる。
【００８３】
(第３の実施の形態)
次に、携帯電話装置２００による無線通信を優先するタイトル情報転送システムについて説明する。
【００８４】
この実施形態におけるタイトル情報転送システムは、録音再生装置１００と、携帯電話装置２００と、通信交換装置４００と、タイトル情報提供サーバ５００と、タイトル情報ＤＢ６００とを備えており、この他の構成も上述した第１及び第２の実施形態と同様である。
【００８５】
タイトル情報転送システムの各構成部分のうち、情報提供側の通信交換装置４００、タイトル情報提供サーバ５００、タイトル情報ＤＢ６００の動作は、第１の実施形態と同様である。
そこで、録音再生装置１００及び携帯電話装置２００の動作について、主に図１１及び図１２を用いて説明する。
【００８６】
録音再生装置１００は、装填されているＣＤなどの再生用ＣＤにアクセスし、この再生用ＣＤからＴＯＣ情報を取得する（ステップＳ１７１０）。そして録音再生装置１００は、取得したＴＯＣ情報を、携帯電話装置２００へ送信する（ステップＳ１７２０）。
【００８７】
携帯電話装置２００は、録音再生装置１００から送信されたＴＯＣ情報を受信する（ステップＳ１８１０）。また、携帯電話装置２００は、自己の電話番号を取得する（ステップＳ１８１５）。そして、携帯電話装置２００は、ＴＯＣ情報及び電話番号を、無線公衆通信ネットワークＷＮＥＴ経由でタイトル情報提供サーバ５００へ送信する（ステップＳ１８２０）。
【００８８】
やがて携帯電話装置２００は、タイトル情報提供サーバ５００からタイトル情報及びジャケット絵図を受信する（ステップＳ１８２５）。そして携帯電話装置２００は、このうちのタイトル情報を、録音再生装置１００へ送信する（ステップＳ１８３０）。一方、携帯電話装置２００は、ジャケット絵図を記録及び表示する（ステップＳ１８３５）。
【００８９】
録音再生装置１００は、携帯電話装置２００から送信されるタイトル情報を受信する（ステップＳ１７３０）。そして、録音再生装置１００は、受信したタイトル情報を装填されている記録用ＭＤに記録する（ステップＳ１７４０）。
【００９０】
ここまでの処理によりタイトル情報の入手が完了した後、録音再生装置１００は、携帯電話装置２００の着信による中断があり得る楽曲データの録音処理を実行する（ステップＳ１７５０）。これに対し、携帯電話装置２００は、外部からの着信を監視し、着信した場合には録音再生装置１００による録音処理を中断させる処理を実行する（ステップＳ１８４０〜Ｓ１８６０）。
【００９１】
すなわち、携帯電話装置２００の処理制御部２４０は、インタフェース２３０経由で録音再生装置１００から録音終了情報を受信するまで、外部から着信があった場合に録音再生装置１００による録音を一時中断させる処理を続ける（ステップＳ１８４０）。そして、外部からの着信があった場合（ステップＳ１８４５：Ｙｅｓ）、処理制御部２４０は、インタフェース２３０経由で着信通知情報を録音再生装置１００へ送信する（ステップＳ１８５０）。
【００９２】
録音再生装置１００の処理制御部１１０は、図１２に示すように、装填されている再生用ＣＤから再生した楽曲データを記録用ＭＤへ録音している（ステップＳ２０１０）。そして、すべての楽曲データの録音が終了するまで（ステップＳ２０２０）、インタフェース１３０経由で携帯電話装置２００から送信される着信通知情報あるいは通信終了情報を監視し続ける。
携帯電話装置２００からインタフェース１３０経由で着信通知情報を受信した場合（ステップＳ２０３０：Ｙｅｓ）、処理制御部１１０は、楽曲データの記録用ＭＤへの録音を一時抑止する（ステップＳ２０４０）。そして、携帯電話装置２００からの通信終了情報の受信を監視し続ける（ステップＳ２０５０）。
【００９３】
携帯電話装置２００の処理制御部２４０は、ステップＳ１８４５で検出した着信に対応する外部との通信が終了したか否かを監視し続ける（ステップＳ１８５５）。そして、外部との通信が終了した場合、処理制御部２４０は、インタフェース２３０経由で通信終了情報を録音再生装置１００へ送信する（ステップＳ１８６０）。
【００９４】
録音再生装置１００の処理制御部１１０は、携帯電話装置２００からインタフェース１３０経由で通信終了情報を受信した場合（ステップＳ２０５０：Ｙｅｓ）、楽曲データの記録用ＭＤへの録音を再開する（ステップＳ２０６０）。
以上の処理を続けて、ステップＳ１７５０の楽曲データの録音処理が終了した後、録音再生装置１００の処理制御部１１０は、録音終了情報を携帯電話装置２００へ送信する（ステップＳ１７６０）。携帯電話装置２００の処理制御部２４０は、録音再生装置１００から録音終了情報を受信した場合（ステップＳ１８４０：Ｙｅｓ）、外部から着信があった場合に録音再生装置１００による録音を一時中断させる処理を終了する。
【００９５】
上述した構成及び動作により、先に説明した第１及び第２の実施形態の効果に加え、外部からかかってくる電話を必ず着信することができる。
【００９６】
(第４の実施の形態)
上述した３種類の形態のタイトル情報転送システムでは、いずれも録音再生装置１００に携帯電話装置２００を信号ケーブルＣＡによって接続し、この携帯電話装置２００と無線公衆通信ネットワークＷＮＥＴとを介して、録音再生装置１００を通信交換装置４００に接続していた。しかし、録音再生装置１００を通信交換装置４００に接続する場合の接続形態はこれのみに限られない。以下、接続形態が異なるタイトル情報転送システムについて、説明する。
【００９７】
まず最初に、録音再生装置１００から通信交換装置４００までをすべて有線接続したタイトル情報転送システムについて説明する。
【００９８】
この実施の形態のタイトル情報転送システムは、図１３に示すように、録音再生装置１００と、有線電話装置２００ａと、通信交換装置４００と、タイトル情報提供サーバ５００と、タイトル情報ＤＢ６００とを備えている。そして、有線電話装置２００ａと通信交換装置４００とが、有線公衆通信ネットワークＬＮＥＴを介して接続されている。さらに、通信交換装置４００とタイトル情報提供サーバ５００とタイトル情報ＤＢ６００とが、インターネットＩＮＥＴを介して接続されている。また、録音再生装置１００と有線電話装置２００ａは、信号ケーブルＣＡを介して接続されている。
【００９９】
有線電話装置２００ａは、広く普及している有線の加入者電話等から構成され、その内部構成は、図１４に示すように、無線公衆通信ネットワークに対応した通信処理部２１０に代えて、有線公衆通信ネットワークＬＮＥＴに対応した通信処理部２１０ａが設けられている点を除き、上述した実施形態と同様である。
【０１００】
したがって、この実施形態のタイトル情報転送システムの動作は、上述した実施形態と同様である。
【０１０１】
上述した構成及び動作により、パーソナルコンピュータ等を使用しなくても、録音再生装置１００と有線電話装置２００ａとを組み合わせることにより、簡単に、タイトル情報ＤＢ６００からタイトル情報を取得することができる。しかも、取得したタイトル情報を、装填された記録用ＭＤに楽曲データとともに自動的に記録できる。
【０１０２】
また、タイトル情報の取得に際して、既存の有線電話装置２００ａを活用できる。さらに、録音再生装置１００及びタイトル情報ＤＢ６００の通信方式が異なっても、有線電話装置２００ａと通信交換装置４００とタイトル情報提供サーバ５００とによって通信方式が変換されるので、タイトル情報ＤＢ６００からタイトル情報を取得することができる。
【０１０３】
また、タイトル情報とともにこのタイトル情報に対応する固有のジャケット絵図を取得し、このジャケット絵図を有線電話装置２００ａの表示部２５０に表示することができる。さらに、再生用ＣＤ中の楽曲データに応じたタイトル情報の提供について、相応の対価を算定して記録することができる。
【０１０４】
(第５の実施の形態)
次に、上述した第４の実施形態のタイトル情報転送システムのうち、録音再生装置１００と有線電話装置２００ａとの間の接続形態を無線による接続形態に変えたタイトル情報転送システムについて説明する。
【０１０５】
本実施の形態のタイトル情報転送システムは、図１５に示すように、録音再生装置１００ａと、有線電話装置２００ｂと、通信交換装置４００と、タイトル情報提供サーバ５００と、タイトル情報ＤＢ６００とを備えている。そして、有線電話装置２００ｂと通信交換装置４００とが、有線公衆通信ネットワークＬＮＥＴを介して接続されている。さらに、通信交換装置４００とタイトル情報提供サーバ５００とタイトル情報ＤＢ６００とが、インターネットＩＮＥＴを介して接続されている。また、録音再生装置１００ａと有線電話装置２００ｂとは、ブルートゥース（ Bluetooth）、ＩｒＤＡ（ Infrared Data Association）、ＩＥＥＥ802.11（Institute of Electronic and Electronics Engineers 802.11）、ＨｏｍｅＲＦ（ Home Radio Frequency ）等の無線インタフェースを介して接続されている。
【０１０６】
録音再生装置１００ａは、図１６に示すように、信号ケーブルＣＡに対応したインタフェース１３０に代えて、無線インタフェース１３０ａが設けられている点を除き、上述した実施形態と同様である。
【０１０７】
有線電話装置２００ｂは、図１７に示すように、信号ケーブルＣＡに対応したインタフェース２３０に代えて、無線インタフェース２３０ａが設けられている点を除き、上述した第４の実施形態と同様である。
【０１０８】
したがって、この実施形態のタイトル情報転送システムの動作は、上述した実施形態と同様である。
【０１０９】
上述した構成及び動作により、パーソナルコンピュータ等を使用しなくても、録音再生装置１００と有線電話装置２００ｂとを組み合わせることにより、簡単に、タイトル情報ＤＢ６００からタイトル情報を取得することができる。しかも、取得したタイトル情報を、装填された記録用ＭＤに楽曲データとともに自動的に記録できる。
【０１１０】
また、タイトル情報の取得に際して、既存の有線電話装置２００ｂを活用できる。そして、録音再生装置１００ａと有線電話装置２００ｂとが無線インタフェースにより接続されていることから、録音再生装置１００ａの設置場所に関する自由度を高められる。さらに、録音再生装置１００ａ及びタイトル情報ＤＢ６００の通信方式が異なっても、有線電話装置２００ｂと通信交換装置４００とタイトル情報提供サーバ５００とによって通信方式が変換されるので、タイトル情報ＤＢ６００からタイトル情報を取得することができる。
【０１１１】
また、タイトル情報とともにこのタイトル情報に対応する固有のジャケット絵図を取得し、このジャケット絵図を有線電話装置２００ｂの表示部２５０に表示することができる。さらに、再生用ＣＤ中の楽曲データに応じたタイトル情報の提供について、相応の対価を算定して記録することができる。
【０１１２】
(第６の実施の形態)
上述した５種類の実施の形態のタイトル情報転送システムでは、いずれも録音再生装置と公衆通信ネットワークとの間に、携帯電話装置や有線電話装置などの既存の通信装置を介する構成としていた。しかし、既存の通信装置を介さずに、通信装置の機能を備えた録音再生装置を公衆通信ネットワークに直結させる構成としてもよい。以下、通信装置の機能を備えた録音再生装置を利用したタイトル情報転送システムについて、説明する。
【０１１３】
本実施の形態のタイトル情報転送システムは、図１８に示すように、通信装置の機能を備えた録音再生装置１００ｂと、通信交換装置４００と、タイトル情報提供サーバ５００と、タイトル情報ＤＢ６００とを備えている。そして、録音再生装置１００ｂと通信交換装置４００とが、有線公衆通信ネットワークＬＮＥＴを介して接続されている。さらに、通信交換装置４００とタイトル情報提供サーバ５００とタイトル情報ＤＢ６００とが、インターネットＩＮＥＴを介して接続されている。
【０１１４】
この実施形態のタイトル情報転送システムの動作も、上述した実施形態と同様である。
【０１１５】
上述した構成及び動作により、パーソナルコンピュータ等を使用しなくても、通信装置の機能を備えた録音再生装置１００ｂにより、簡単に、タイトル情報ＤＢ６００からタイトル情報を取得することができる。しかも、取得したタイトル情報を、装填された記録用ＭＤに楽曲データとともに自動的に記録できる。
また、録音再生装置１００ｂ及びタイトル情報ＤＢ６００の通信方式が異なっても、通信交換装置４００とタイトル情報提供サーバ５００とによって通信方式が変換されるので、タイトル情報ＤＢ６００からタイトル情報を取得することができる。
さらに、再生用ＣＤ中の楽曲データに応じたタイトル情報の提供について、相応の対価を算定して記録することができる。
【０１１６】
(第７の実施の形態)
上述した実施の形態のタイトル情報転送システムでは、タイトル情報提供サーバ５００が１つのタイトル情報ＤＢ６００にＴＯＣ情報を送信して、タイトル情報の検索を依頼したが、１つのタイトル情報ＤＢでは、タイトル情報が適切に検索できない場合等もあり得る。例えば、複数のタイトル情報が検索される場合や１つのタイトル情報も検索されない場合等である。
この様な場合に、他のタイトル情報ＤＢに、タイトル情報の検索を依頼することで、適切なタイトル情報が検索され得る。以下、複数のタイトル情報ＤＢを利用可能なタイトル情報転送システムについて、説明する。
【０１１７】
この実施形態に係るタイトル情報転送システムは、図１９に示すように、録音再生装置１００と、携帯電話装置２００と、通信交換装置４００と、タイトル情報提供サーバ５００ａと、複数のタイトル情報ＤＢ６００（タイトル情報ＤＢ６００ａ，タイトル情報ＤＢ６００ｂ，・・・）とを備えている。
なお、録音再生装置１００〜通信交換装置４００は、図１に示す第１〜第３の実施形態と同様の構成である。また、各タイトル情報ＤＢ６００（タイトル情報ＤＢ６００ａ，タイトル情報ＤＢ６００ｂ，・・・）もそれぞれ同様にタイトル情報が集積されたデータベースである。
【０１１８】
タイトル情報提供サーバ５００ａは、図２０に示すように、通信処理部５１０と、処理制御部５３０と、メモリ５５０ａとを備え、通信交換装置４００から電子メールにより送信されるＴＯＣ情報を、ＨＴＴＰによって各タイトル情報ＤＢ６００（タイトル情報ＤＢ６００ａ，タイトル情報ＤＢ６００ｂ，・・・）へ送信する。
また、タイトル情報提供サーバ５００は、何れかのタイトル情報ＤＢ６００からＨＴＴＰによって返信されるタイトル情報を、このタイトル情報を要求したユーザ宛てに電子メールにより送信する。
【０１１９】
なお、通信処理部５１０及び、処理制御部５３０は、図４に示すタイトル情報提供サーバ５００と同様の構成である。
また、メモリ５５０ａは、発信元情報テーブル５５１と、ユーザ認証情報テーブル５５４と、タイトル情報テーブル５６６と、課金算定基準テーブル５５７と、課金額記録テーブル５６０と、ジャケット絵図テーブル５６９と、ＤＢアドレステーブル５７１とを記憶する。なお、発信元情報テーブル５５１〜ジャケット絵図テーブル５６９は、図４に示すタイトル情報提供サーバ５００（メモリ５５０）と同様の構成である。
【０１２０】
ＤＢアドレステーブル５７１は、各タイトル情報ＤＢ６００（タイトル情報ＤＢ６００ａ，タイトル情報ＤＢ６００ｂ，・・・）のアドレスを格納しておくテーブルである。このＤＢアドレステーブル５７１は、問合せコード送信処理部５４０によって参照される。
【０１２１】
以下、このような構成のタイトル情報提供サーバ５００ａを含むタイトル情報転送システムの動作について説明する。なお、タイトル情報転送システムの各構成部分のうち、録音再生装置１００、携帯電話装置２００、通信交換装置４００及び、各タイトル情報ＤＢ６００の動作は、上述の第１〜第３の実施形態と同様である。
そこで、タイトル情報提供サーバ５００ａの動作について、図２１を参照して説明する。
なお、タイトル情報提供サーバ５００ａのＤＢアドレステーブル５７１には、各タイトル情報ＤＢ６００（タイトル情報ＤＢ６００ａ，タイトル情報ＤＢ６００ｂ，・・・）のアドレスが予め記憶されているものとする。そして、録音再生装置１００にて録音動作等が開始され、再生用ＣＤから読み出されたＴＯＣ情報が電子メールとして通信交換装置４００に供給された後に、図２１の処理が開始される。
【０１２２】
まず、タイトル情報提供サーバ５００ａは、ＴＯＣ情報を含む電子メールを通信交換装置４００から受信する（ステップＳ１１）。すなわち、処理制御部５３０内の電子メール受信処理部５３１が、通信処理部５１０を介して、インターネットＩＮＥＴ経由で通信交換装置４００から送られた電子メールを受信する。
【０１２３】
そして、電子メール受信処理部５３１は、受信した電子メールの内容を解析し、受信した電子メールが、タイトル情報の提供を要求する内容であれば、ユーザ認証部５３４に制御を渡し、ユーザ認証処理を行わせる（ステップＳ１２）。
すなわち、ユーザ認証部５３４は、上述の図８に示すような処理を行い、発信元電話番号に該当するユーザ登録がなされているか否かを判別する。
【０１２４】
ユーザ認証処理により、ユーザが認証されると、電子メール受信処理部５３１は、このタイトル情報提供サーバ５００ａが有するＩＰアドレスのうちの現在未使用のものを１つ選択して、受信した電子メールに含まれるＴＯＣ情報及び発信元の電話番号と共に、発信元情報テーブル５５１に記憶する（ステップＳ１３）。
【０１２５】
問合せコード送信処理部５４０は、ＤＢアドレステーブル５７１から所定の順番に従って、何れか１つのタイトル情報ＤＢ６００（タイトル情報ＤＢ６００ａ等）に対応したアドレスを取得する（ステップＳ１４）。
【０１２６】
問合せコード送信処理部５４０は、取得したアドレス先のタイトル情報ＤＢ６００（タイトル情報ＤＢ６００ａ等）に問合せコードを送信する（ステップＳ１５）。すなわち、問合せコード送信処理部５４０は、発信元情報テーブル５５１に記憶されたＴＯＣ情報を読み出して、このＴＯＣ情報に相当する問合せコードを生成する。そして、この問合せコードを、選択したＩＰアドレスが割り当てられているポートから、取得したアドレス先のタイトル情報ＤＢ６００へ、ＨＴＴＰによりインターネットＩＮＥＴ経由で送信する。
【０１２７】
そして、タイトル情報提供サーバ５００ａは、タイトル情報ＤＢ６００から送られる検索結果を受信する（ステップＳ１６）。すなわち、応答コード受信処理部５４３は、通信処理部５１０を介して、タイトル情報ＤＢ６００から、応答コードの形式で送信されてくる検索結果を受信する。
【０１２８】
応答コード受信処理部５４３は、検索結果に従って、適切にタイトル情報を検索できたか否かを判別する（ステップＳ１７）。なお、複数のタイトル情報が検索された場合や、１つのタイトル情報も検索されない場合に、応答コード受信処理部５４３は、タイトル情報が適切に検索できなかったと判別する。
【０１２９】
タイトル情報が適切に検索できなかったと判別されると、タイトル情報提供サーバ５００ａは、全てのタイトル情報ＤＢ６００を検索済みであるか否かを判別する（ステップＳ１８）。つまり、ＤＢアドレステーブル５７１に記憶される全てのタイトル情報ＤＢ６００（タイトル情報ＤＢ６００ａ，タイトル情報ＤＢ６００ｂ，・・・）のアドレス先に、タイトル情報の検索を依頼しても、タイトル情報が適切に検索できなかったか否かを判別する。
【０１３０】
タイトル情報提供サーバ５００ａは、全てのタイトル情報ＤＢ６００を検索していないと判別すると、ステップＳ１４に処理を戻し、上述のステップＳ１４〜Ｓ１８の処理を繰り返し実行する。
一方、全てのタイトル情報ＤＢ６００を検索したと判別した場合に、タイトル情報提供サーバ５００ａは、検索不能を示す電子メールを発信元に送信する（ステップＳ１９）。すなわち、応答メール送信処理部５４６は、発信元情報テーブル５５１の検索し、発信元のユーザを特定し、そして、タイトル情報等が適切に検索できなかった旨を内容とする電子メールを生成し、特定したユーザ宛に、この電子メールを送信する。
【０１３１】
また、上述のステップＳ１７にて、タイトル情報ＤＢ６００からタイトル情報を適切に検索できたと判別した場合に、応答コード受信処理部５４３は、応答コードに付加されているタイトル情報を、タイトル情報テーブル５６６に一時記憶させる（ステップＳ２０）。
【０１３２】
そして、応答コード受信処理部５４３は、メモリ５５０内の発信元情報テーブル５５１から必要な情報を取得する（ステップＳ２１）。すなわち、応答コード受信処理部５４３は、タイトル情報を受信したポートに割り当てられているＩＰアドレスをキーにして、発信元情報テーブル５５１から発信元の電話番号を検索する。
【０１３３】
応答コード受信処理部５４３は、ユーザ課金部５３７に、検索した発信元の電話番号を通知し、ユーザ課金を行わせる（ステップＳ２２）。
すなわち、ユーザ課金部５３７は、上述の図９に示すような処理を行い、課金額を算出し、課金額記録テーブル５６０中の発信元ユーザの課金額（累積課金額等）を更新する。
【０１３４】
応答メール送信処理部５４６は、タイトル情報テーブル５６６に一時記憶したタイトル情報を読み出すと共に、ジャケット絵図テーブル５６９を参照し、読み出したタイトル情報に対応するジャケット絵図を取得する（ステップＳ２３）。そして、応答メール送信処理部５４６は、発信元情報テーブル５５１の検索により特定されたユーザ宛に、タイトル情報及びジャケット絵図を内容とする電子メールを生成し、この電子メールを送信する（ステップＳ２４）。
【０１３５】
上述した構成及び動作により、１つのタイトル情報ＤＢでは、タイトル情報が適切に検索できない場合でも、他のタイトル情報ＤＢからタイトル情報の検索を依頼することで、適切なタイトル情報を提供することができる。
【０１３６】
(第８の実施の形態)
上述した第７の実施の形態に係るタイトル情報転送システムでは、タイトル情報ＤＢからタイトル情報が適切に検索できない場合に、他のタイトル情報ＤＢにタイトル情報の検索を依頼した。つまり、タイトル情報が適切に検索されると、残りのタイトル情報ＤＢにおいてタイトル情報が検索されない。
しかしながら、タイトル情報ＤＢ毎に管理されているタイトル情報のデータ形式（例えば、漢字、ひらがな、カタカナ、及び、ローマ字等）が異なる場合がある。このため、１つのタイトル情報ＤＢにてタイトル情報が検索され取得できたとしても、他のタイトル情報ＤＢに、より良いデータ形式にてタイトル情報が格納されている場合もある。
つまり、全てのタイトル情報ＤＢからタイトル情報を検索して、その中から、タイトル情報を適宜選択した方が、有用なタイトル情報をユーザ（録音再生装置１００等）に提供できることとなる。以下、複数のタイトル情報ＤＢから有用なタイトル情報を取得できるタイトル情報転送システムについて、説明する。
【０１３７】
この実施形態に係るタイトル情報転送システムは、録音再生装置１００と、携帯電話装置２００と、通信交換装置４００と、タイトル情報提供サーバ５００ｂと、複数のタイトル情報ＤＢ６００（タイトル情報ＤＢ６００ａ，タイトル情報ＤＢ６００ｂ，・・・）とを備えている。つまり、図１９に示す第７の実施の形態に係るタイトル情報転送システムと、タイトル情報提供サーバ５００ｂだけが異なっている。
【０１３８】
タイトル情報提供サーバ５００ｂは、図２２に示すように、通信処理部５１０と、処理制御部５３０と、メモリ５５０ｂとを備えている。なお、通信処理部５１０及び、処理制御部５３０は、図４に示すタイトル情報提供サーバ５００と同様の構成である。
また、メモリ５５０ｂは、発信元情報テーブル５５１と、ユーザ認証情報テーブル５５４と、タイトル情報テーブル５６６と、課金算定基準テーブル５５７と、課金額記録テーブル５６０と、ジャケット絵図テーブル５６９と、ＤＢアドレステーブル５７１と、優先度規定テーブル５７２とを記憶する。なお、発信元情報テーブル５５１〜ジャケット絵図テーブル５６９は、図４に示すタイトル情報提供サーバ５００（メモリ５５０）と同様の構成である。また、ＤＢアドレステーブル５７１は、図２０に示すタイトル情報提供サーバ５００ａ（メモリ５５０ａ）と同様の構成である。
【０１３９】
優先度規定テーブル５７２は、データ形式の優先度を規定する情報を格納しておくテーブルである。このデータ形式の優先度は、各タイトル情報ＤＢ６００（タイトル情報ＤＢ６００ａ，タイトル情報ＤＢ６００ｂ，・・・）から取得し得るタイトル情報のデータ形式に対する優先度である。例えば、漢字、ひらがな、カタカナ、ローマ字の順に、高い優先度が規定されている。
【０１４０】
以下、このような構成のタイトル情報提供サーバ５００ｂを含むタイトル情報転送システムの動作について説明する。なお、タイトル情報転送システムの各構成部分のうち、録音再生装置１００、携帯電話装置２００、通信交換装置４００及び、各タイトル情報ＤＢ６００の動作は、上述の第１〜第３の実施形態と同様である。
そこで、タイトル情報提供サーバ５００ｂの動作について、図２３を参照して説明する。
なお、タイトル情報提供サーバ５００ｂのＤＢアドレステーブル５７１には、各タイトル情報ＤＢ６００のアドレスが予め記憶されており、また、優先度規定テーブル５７２は、タイトル情報のデータ形式に対する優先度を規定する情報が予め記憶されているものとする。そして、録音再生装置１００にて録音動作等が開始され、再生用ＣＤから読み出されたＴＯＣ情報が電子メールとして通信交換装置４００に供給された後に、図２３の処理が開始される。
【０１４１】
まず、タイトル情報提供サーバ５００ｂは、ＴＯＣ情報を含む電子メールを通信交換装置４００から受信する（ステップＳ３１）。そして、電子メール受信処理部５３１は、受信した電子メールの内容を解析し、受信した電子メールが、タイトル情報の提供を要求する内容であれば、ユーザ認証部５３４に制御を渡し、ユーザ認証処理を行わせる（ステップＳ３２）。
【０１４２】
ユーザ認証処理により、ユーザが認証されると、電子メール受信処理部５３１は、このタイトル情報提供サーバ５００ｂが有するＩＰアドレスのうちの現在未使用のものを１つ選択して、受信した電子メールに含まれるＴＯＣ情報及び発信元の電話番号と共に、発信元情報テーブル５５１に記憶する（ステップＳ３３）。
そして、問合せコード送信処理部５４０は、ＤＢアドレステーブル５７１から所定の順番に従って、何れか１つのタイトル情報ＤＢ６００に対応したアドレスを取得する（ステップＳ３４）。
【０１４３】
問合せコード送信処理部５４０は、取得したアドレス先のタイトル情報ＤＢ６００に問合せコードを送信する（ステップＳ３５）。そして、応答コード受信処理部５４３は、通信処理部５１０を介して、タイトル情報ＤＢ６００から、応答コードの形式で送信されてくるタイトル情報を受信し、タイトル情報テーブル５６６に一時記憶させる（ステップＳ３６）。
【０１４４】
タイトル情報提供サーバ５００ｂは、全てのタイトル情報ＤＢ６００を検索済みであるか否かを判別する（ステップＳ３７）。タイトル情報提供サーバ５００ａは、全てのタイトル情報ＤＢ６００を検索していないと判別すると、ステップＳ３４に処理を戻し、上述のステップＳ３４〜Ｓ３７の処理を繰り返し実行する。
【０１４５】
一方、全てのタイトル情報ＤＢ６００を検索したと判別した場合に、タイトル情報提供サーバ５００ｂは、優先度規定テーブル５７２に従って、タイトル情報を選択する（ステップＳ３８）。すなわち、応答コード受信処理部５４３は、タイトル情報テーブル５６６に記憶した各タイトル情報のデータ形式を解析する。そして、全てのタイトル情報のデータ形式の内で、優先度規定テーブル５７２に記憶される最も優先度の高いデータ形式に合致するタイトル情報を選択する。
【０１４６】
そして、応答コード受信処理部５４３は、メモリ５５０内の発信元情報テーブル５５１から必要な情報を取得する（ステップＳ３９）。
応答コード受信処理部５４３は、ユーザ課金部５３７に、検索した発信元の電話番号を通知し、ユーザ課金を行わせる（ステップＳ４０）。
【０１４７】
応答メール送信処理部５４６は、ジャケット絵図テーブル５６９を参照し、ステップＳ３８にて選択したタイトル情報に対応するジャケット絵図を取得する（ステップＳ４１）。そして、応答メール送信処理部５４６は、発信元情報テーブル５５１の検索により特定されたユーザ宛に、タイトル情報及びジャケット絵図を内容とする電子メールを生成し、この電子メールを送信する（ステップＳ４２）。
【０１４８】
上述した構成及び動作により、データ形式の優先度に従って、有用なタイトル情報をユーザ（録音再生装置１００等）に提供できる。
【０１４９】
また、上述の第８の実施の形態では、タイトル情報提供サーバ５００ｂに優先度規定テーブル５７２を記憶させ、この優先度規定テーブル５７２に従って、有用なタイトル情報を選択したが、優先度規定テーブル５７２によらずに、タイトル情報を選択できるようにしてもよい。
例えば、タイトル情報提供サーバ５００ｂは、通信交換装置４００から受信した電子メール中に、録音再生装置１００や携帯電話装置２００にて記録や表示が可能なデータ形式を示す情報が含まれていた場合、そのデータ形式を最優先として、タイトル情報を選択する。この場合も、有用なタイトル情報をユーザ（録音再生装置１００等）に提供できる。
【０１５０】
なお、この発明は上記実施の形態に限定されず、様々な変形および応用が可能である。
上述した実施の形態では、タイトル情報提供サーバ５００（タイトル情報提供サーバ５００ａ，５００ｂ）にて携帯電話装置２００等の電話番号を用いてユーザの認証を行ったが、ユーザの認証の手法は任意である。
例えば、録音再生装置１００や携帯電話装置２００等に、ユーザの個人情報（住所、電話番号、生年月日等）を記憶させておき、タイトル情報提供サーバ５００にアクセスする際に、携帯電話装置２００等から送信することで、自動的にユーザ認証を行うようにしてもよい。また、タイトル情報提供サーバ５００側にユーザの個人情報（住所、電話番号、生年月日等）を記憶しておいてもよい。
【０１５１】
また、ＩＰｖ６等の普及に伴い、機器毎にＩＰアドレスが採番される場合に、個人情報として、ＩＰアドレスを録音再生装置１００や携帯電話装置２００等に記憶するようにしてもよい。
【０１５２】
上述した実施の形態では、録音装置側の通信装置と情報提供側の通信交換装置との通信が無線又は有線の公衆通信ネットワーク経由で実行される場合について説明した。しかし、通信装置と通信交換装置との通信は、私的な通信ネットワークや直結ケーブル等を介したものであっても構わない。
また、上述した実施の形態では、通信交換装置とタイトル情報提供サーバとタイトル情報データベースとがインターネット経由で相互に通信する場合について説明した。しかし、これらの間の通信も、私的な通信ネットワークや直結ケーブル等を介したものであって構わない。
【０１５３】
上述した第２の実施形態では、最初に外部との無線通信を抑止して楽曲データの記録用ＭＤへの録音を開始し、楽曲データの録音がすべて終了した後に、無線通信の抑止を解除した上、タイトル情報やジャケット絵図を取得するための無線通信を実行していた。しかし、無線通信の抑止及び抑止解除を上記と異なるタイミングで実行することも可能である。
【０１５４】
例えば、次のようなタイミングで無線通信の抑止及び抑止解除を実行できる。最初に録音再生装置からタイトル情報提供サーバへ、無線通信でＴＯＣ情報を送信し、この送信に応じてタイトル情報提供サーバから返信されるタイトル情報を、録音再生装置にて受信する。そして、タイトル情報の受信が完了した後に、録音再生装置から通信装置へ、受信の完了を伝える完了情報を送信する。この完了情報を受信した通信装置は、無線通信を抑止する。そこで、録音再生装置は、楽曲データの記録用ＭＤへの録音を開始する。録音再生装置は、楽曲データの録音がすべて終了した後に、録音の終了を伝える録音終了情報を通信装置へ送信する。この録音終了情報を受信した通信装置は、無線通信の抑止を解除する。
【０１５５】
あるいは、例えば次のようなタイミングでも、無線通信の抑止及び抑止解除を実行できる。最初に録音再生装置からタイトル情報提供サーバへ、無線通信でＴＯＣ情報を送信する。そして、タイトル情報提供サーバからの返信を待たずに、録音再生装置から通信装置へ、録音の開始を表す録音開始情報を送信する。この録音開始情報を受信した通信装置は、無線通信を抑止する。そこで、録音再生装置は、楽曲データの記録用ＭＤへの録音を開始する。録音再生装置は、楽曲データの録音がすべて終了した後に、録音の終了を伝える録音終了情報を通信装置へ送信する。この録音終了情報を受信した通信装置は、無線通信の抑止を解除する。続いて通信装置は、無線通信を抑止する前に送信したＴＯＣ情報に応じて、情報提供サーバから返信されてきたタイトル情報やジャケット絵図を受信する。そして通信装置は、受信したタイトル情報を録音再生装置へ送信する。
【０１５６】
上述した実施の形態では、店頭販売中の再生用ＣＤの外観を表す画像であるジャケット絵図を、タイトル情報提供サーバ内のジャケット絵図テーブル中に予め記憶させておく場合について説明した。しかし、ジャケット絵図の記憶場所は、タイトル情報提供サーバに限られない。例えば、ジャケット絵図をタイトル情報データベース等に予め記憶させ、ＴＯＣ情報に対応するジャケット絵図をタイトル情報とともにタイトル情報データベース等から提供するようにしてもよい。さらに、提供する画像は再生用ＣＤの外観を表すジャケット絵図のみに限られず、例えば、再生用ＣＤに関連するアーティストの任意の写真等を提供するようにしてもよい。
【０１５７】
上述した実施の形態では、録音及びタイトル情報の記録対象である記録媒体として、記録用ＭＤを使用する場合について説明した。しかし、記録用媒体は記録用ＭＤに限られるものではなく、例えば、ＣＤ−Ｒ、ＣＤ−ＲＷ、ＤＶＤ−Ｒ、ＤＶＤ−ＲＷ等を記録媒体として使用してもよい。
【０１５８】
上述した実施の形態のタイトル情報提供サーバは、受信した電話番号をキーとしてユーザを認証し、課金の処理を実行していた。しかし、電話番号ではなくユーザの電子メールアドレスを録音再生装置からタイトル情報提供サーバへ送信し、電子メールアドレスをキーとして、ユーザ認証や課金の処理を実行してもよい。
【０１５９】
上述した実施の形態のタイトル情報提供サーバは、録音再生装置から送信されたＴＯＣ情報に対応するジャケット絵図を、電子メールの本文に含めて返信していた。しかし、ジャケット絵図の提供形態は任意であり、電子メール本文に含めた送信のみに限られない。例えば、電子メールにジャケット絵図の画像データを添付して送信したり、ＨＴＭＬ形式の文書等をＨＴＴＰ等の通信プロトコルに従って送信するようにしてもよい。
【０１６０】
上述した第３の実施の形態では、楽曲データの録音中に外部から着信があった場合に録音を一時中断する例について説明した。このように録音を一時中断する理由は、上述したように、高周波無線に起因する磁気記録への雑音・雑信号の混入を防止するためであった。
このような場合に、録音を中断した楽曲データを、自動的にかつ適切に録音を再開することが望ましい。中断した楽曲の録音を自動的に再開するためには、例えば、以下のような手法を採用することができる。
【０１６１】
まず、録音再生装置は、携帯電話装置に外部から着信したその瞬間に記録用ＭＤへ録音していた楽曲データが含まれる再生用ＣＤ中のトラックと記録用ＭＤの記録位置を検出し、そのトラック番号及び記録位置を保存しておく。次に、携帯電話装置による外部との通信が終了した後、記録用ＭＤ中の、保存しておいたトラック番号に相当する記録位置に記録されている記録情報を消去する。続いて、保存しておいたトラック番号に相当するトラックの先頭から再生用ＣＤを再生し、再生した楽曲データを記録用ＭＤに録音する。
このようにすることで、録音中の着信に起因するノイズを含まない高品質な楽曲データの録音が可能になる。
【０１６２】
また、以下のような手法によって処理することも可能である。
まず、録音再生装置は、記録用ＭＤへの楽曲データの記録中に、携帯電話装置から着信通知情報を受信すると、楽曲データの録音を中断し、着信の瞬間に記録中の部分（及びその直前（０．５〜２秒）の部分）を記録用ＭＤから消去する。次に、携帯電話装置から、通信が終了した旨の通知を受信した後、楽曲データの消去した部分の先頭位置から再生用ＣＤを再生し、記録用ＭＤへの録音を再開する。このようにすることによっても、録音中の着信に起因するノイズを含まない高品質な楽曲データの録音が可能になる。さらに、トラックの先頭から再生用ＣＤを再生するより、録音時間を短縮することができ、演奏時間の長い楽曲を録音する上で有効である。
【０１６３】
また、再生用ＣＤから再生された楽曲データを一時的にメモリに蓄積した後、このメモリに蓄積された楽曲データを読み出して記録用ＭＤへ録音している場合、以下のように処理することも可能である。
まず、録音再生装置は、携帯電話装置から着信通知情報を受信すると、メモリに蓄積されていた楽曲データを、記録用ＭＤへ録音することなくメモリから消去すると共に楽曲データの記録用ＭＤへの録音を中断する。次に、携帯電話装置による外部との通信が終了した後、着信の時点でメモリから消去した楽曲データの部分（又はその直前（０．５〜２秒）の部分）から、再生用ＣＤから再生してメモリに蓄積する。続いて、メモリに蓄積した楽曲データを記録用ＭＤへ、録音を中断した位置（又はその直前（０．５〜２秒）の位置）から録音する。このようにすることによっても、録音中の着信に起因するノイズを含まない高品質な楽曲データの録音が可能である。さらに、トラックの先頭から再生用ＣＤを再生するより、録音時間を短縮できる。
【０１６４】
上述のように記録用ＭＤへの録音を中断及び再開することにより、無線通信を着信した時点又は録音を抑止した時点で録音していた楽曲データの部分を消去し、楽曲データの消去された部分から記録用ＭＤへの録音を再開するので、記録用ＭＤ中の記録への雑音・雑信号の混入を防止することができる。
【０１６５】
上述した第５の実施の形態では、録音再生装置と有線電話装置とを無線インタフェースを介して接続し、有線電話装置と通信交換装置とを有線公衆通信ネットワークを介して接続する構成について説明した。が、この構成のうち、有線電話装置を携帯電話装置に、有線公衆通信ネットワークを無線公衆通信ネットワークに、それぞれ代えた構成としてもよい。
また、上述した第６の実施の形態では、有線電話装置としての通信装置の機能を備えた録音再生装置を含む構成について説明したが、無線通信が可能な携帯電話装置としての通信装置の機能を備えた録音再生装置を含む構成とすることも、可能である。
【０１６６】
また、上述した実施の形態では、発信元の電話番号すなわち携帯電話装置２００により特定されるユーザごとに、課金額を算定及び記録する例について説明した。しかし、携帯電話装置ではなく、例えば録音再生装置に固有の装置番号等をタイトル情報提供サーバへ送信し、この装置番号ごとに課金額を算定及び記録するようにしてもよい。
【０１６７】
上述した実施の形態では、タイトル情報転送システムの動作を処理するプログラムは、それぞれメモリにあらかじめ記憶されているものとして説明した。しかしながら、これらのプログラムは、ＦＤ、ＣＤ−ＲＯＭ、ＤＶＤなどのコンピュータ読み取り可能な記録媒体に格納して配布するものとしてもよい。さらに、インターネット上のサーバ装置が有するディスク装置などに格納しておき、コンピュータに、例えば、搬送波に重畳して、ダウンロードなどするものとしてもよい。
【０１６８】
【発明の効果】
以上説明したように、本発明によれば、再生用媒体に記録されている楽曲の属性情報を適切に提供できる。
【図面の簡単な説明】
【図１】本発明の第１の実施の形態に係るタイトル情報転送システムの構成の一例を示すブロック図である。
【図２】図１における録音再生装置の構成の一例を示すブロック図である。
【図３】図１における携帯電話装置の構成の一例を示すブロック図である。
【図４】本発明の実施の形態に係るタイトル情報提供サーバの構成の一例を示すブロック図である。
【図５】本発明の第１の実施の形態に係る録音再生装置及び携帯電話装置による処理を説明するためのフローチャートである。
【図６】図１における録音再生装置からタイトル情報提供サーバへ送信される電子メールの内容の一例を示す図である。
【図７】本発明の実施の形態に係る通信交換装置とタイトル情報提供サーバとタイトル情報データベースによる処理を説明するためのフローチャートである。
【図８】図７におけるユーザ認証処理を説明するためのフローチャートである。
【図９】図７におけるユーザ課金処理を説明するためのフローチャートである。
【図１０】本発明の第２の実施の形態に係る録音再生装置及び携帯電話装置による処理を説明するためのフローチャートである。
【図１１】本発明の第３の実施の形態に係る録音再生装置及び携帯電話装置による処理を説明するためのフローチャートである。
【図１２】図１１における着信による中断を伴う録音処理を説明するためのフローチャートである。
【図１３】本発明の第４の実施の形態に係るタイトル情報転送システムの構成の一例を示すブロック図である。
【図１４】図１３における携帯電話装置の構成の一例を示すブロック図である。
【図１５】本発明の第５の実施の形態に係るタイトル情報転送システムの構成の一例を示すブロック図である。
【図１６】図１５における録音再生装置の構成の一例を示すブロック図である。
【図１７】図１５における携帯電話装置の構成の一例を示すブロック図である。
【図１８】本発明の第６の実施の形態に係るタイトル情報転送システムの構成の一例を示すブロック図である。
【図１９】本発明の第７の実施の形態に係るタイトル情報転送システムの構成の一例を示すブロック図である。
【図２０】図１９におけるタイトル情報提供サーバの構成の一例を示すブロック図である。
【図２１】本発明の第７の実施の形態に係るタイトル情報提供サーバによる処理を説明するためのフローチャートである。
【図２２】本発明の第８の実施の形態に係るタイトル情報提供サーバの構成の一例を示すブロック図である。
【図２３】本発明の第８の実施の形態に係るタイトル情報提供サーバによる処理を説明するためのフローチャートである。
【符号の説明】
１００，１００ａ，１００ｂ  録音再生装置
２００                      携帯電話装置
２００ａ，２００ｂ          有線電話装置
４００                      通信交換装置
５００，５００ａ，５００ｂ  タイトル情報提供サーバ
６００                      タイトル情報データベース
ＩＮＥＴ                    インターネット
ＷＮＥＴ                    無線公衆通信ネットワーク
ＬＮＥＴ                    有線公衆通信ネットワーク
【図１】
0003994325.tif 000002
【図２】
0003994325.tif 000003
【図３】
0003994325.tif 000004
【図４】
0003994325.tif 000005
【図５】
0003994325.tif 000006
【図６】
0003994325.tif 000007
【図７】
0003994325.tif 000008
【図８】
0003994325.tif 000009
【図９】
0003994325.tif 000010
【図１０】
0003994325.tif 000011
【図１１】
0003994325.tif 000012
【図１２】
0003994325.tif 000013
【図１３】
0003994325.tif 000014
【図１４】
0003994325.tif 000015
【図１５】
0003994325.tif 000016
【図１６】
0003994325.tif 000017
【図１７】
0003994325.tif 000018
【図１８】
0003994325.tif 000019
【図１９】
0003994325.tif 000020
【図２０】
0003994325.tif 000021
【図２１】
0003994325.tif 000022
【図２２】
0003994325.tif 000023
【図２３】
0003994325.tif 000024